(57)【要約】      （修正有）【課題】植物の種子の採取と果実を害虫から守る作業効率のよいタネ取り袋及び果樹袋の提供。【解決手段】袋状に形成した袋素材の上部に単独係止構造の係止部を複数個直線上に連結し、開口部の大きさの調整が可能で着脱がしやすく懸装でき、袋素材には通気性素材、遮光素材、防虫素材、防水素材、防菌素材、防カビ素材を使用する。【選択図】図１
2016111999.tif 000002
【特許請求の範囲】
【請求項１】
袋状に形成した袋素材の上部に単独係止構造の係止部を複数個直線上に連結し、
開口部の大きさの調整が可能で着脱がしやすく懸装できることを特徴とした
タネ取り袋及びの果樹袋。
【請求項２】
袋素材には 通気性素材、遮光素材、防虫素材、防水素材、防菌素材、防カビ素材を
使用した請求項１記載のタネ取り袋及びの果樹袋。
【発明の詳細な説明】
【技術分野】
【０００１】
本発明は花の種子の採取袋及び果樹袋に関する。
【背景技術】
【０００２】
趣味のガーデニングや園芸で一回結実性の花の種子を採取する際には、
種子の形成を確認した種皮に対し、袋状にした通気性素材に据え込みながら
種子が弾け落ちることを待つことがあった。
【０００３】
しかし、着脱のしやすさと懸装して容易に種子の落下を受け止め、
同様に着脱に効率がよく果実の保護にも利用ができるものはなかった。
【先行技術文献】
【特許文献】
【０００４】
【特許文献１】特開２０１３−２３３０９１  防虫果樹袋（図１）
【発明の概要】
【発明が解決しようとする課題】
【０００５】
花の種子の採取には開花期が過ぎると種皮が開いて中の種が弾け飛んでしまい
採取が困難であった。
また果樹は風雨の影響による落下を防止しながら病害虫から果実を守る役割をする
果樹袋となる双方を満たす機能性が求められていた。
【０００６】
一回結実性の花の種子を採取する際には種皮に対して袋状のものを懸装し、
果実に対して果樹袋を設置する際には袋を吊持することに時間を要していた。
【０００７】
植物の種子を採取する袋かけ、または果実に対して果樹袋を懸装する場合には、
開口部を緊定すると花柄や果梗を圧迫して育成を妨げる恐れがあった。
【０００８】
すなわち植物の育成に影響を与えずに開口部が容易に係止する袋に種皮や果実を
据え込み、果実には保護の役割を果たし種子は落さずに受け止めることができる袋が
必要であった。
【課題を解決するための手段】
【０００９】
タネ取り袋及びの果樹袋において、袋状に形成した素材の上部に単独係止構造の
係止部を複数個直線上に連結して開口部の大きさの調整を可能にし、さらに
着脱をしやすくしたものである。
【００１０】
また袋素材には通気性素材、遮光素材、防虫素材、防水素材、防菌素材、防カビ素材を
使用することで、必要に応じたタネ取り袋及びの果樹袋を懸装できるようにしたものである。
【発明の効果】
【００１１】
本発明の実施に当たり、種子の収穫や果実の収穫に対応する
各袋素材を使用し形成することで前記課題、作業性、管理の持続性が
確かなものになり収穫を上げることができる。
【００１２】
袋状の開口部に単独係止構造を用いたことにより、風雨の影響による
連続的な開口広がりを防ぎ袋の脱落を防止することができる。
【００１３】
袋状の開口部に連続して並ぶ単独係止構造を接合したことにより、
どの設置場所であっても花柄や果梗を圧迫せずに係止して吊持することができる。
【００１４】
開口部の上部に開いた吊るし穴に紐や針金を通して枝とを固定し、本発明の
タネ取り袋及びの果樹袋に果実を据え込んで懸装することによって、
偶発的な熟れ落ちなどを受け止めることができる。
【００１５】
本発明のタネ取り袋及び果樹袋は、開口部に複数個直線上に連結した
単独係止構造を用いたことにより、容易で短時間での着脱が可能になり
何度も利用ができる。
【図面の簡単な説明】
【００１６】
【図１】本発明を実施した果樹袋の一実施例を表す。
【図２】図１の係止部に複数個設けたジッパーレールを表す。
【図３】図１のジッパーレール係止部の斜視図を表す。
【図４】図１の果樹袋の係止部が分断を境に開閉する様子を表す。
【図５】各袋素材にジッパーレールを接合した果樹袋の一実施例を表す。
【図６】図５の開口部に接合した連続して並ぶジッパーレールの一実施例を表す。
【図７】図５に接合したジッパーレールの一部凹部を表す。
【図８】図５の接合した果樹袋の係止部が分断を境に開閉する様子を表す。
【図９】各袋素材の果樹袋の上部に複数個のスナップボタンを設置した一実施例を表す。
【図１０】図９の開口部のスナップボタンを連続して接合した一実施例を表す。
【図１１】各袋素材に直接スナップボタンを連続して接合した果樹袋の一実施例を表す。
【図１２】図１１の果樹袋の上部に複数個接合したスナップボタンの係止部を表す。
【図１３】図１１に使用したスナップボタンの雌雄を表す。
【図１４】図１１に使用したスナップボタン雌雄の断面図を表す。
【図１５】図１１の果樹袋の一実施例を表す。
【図１６】各袋素材にマグネットシートの係止部を接合した果樹袋の一実施例を表す。
【図１７】図１６の開口部に接合した連続して並ぶマグネットシートの係止部を表す。
【図１８】図１６に接合し単独封止したマグネットシートの係止部を表す。
【図１９】図１６の係止部の構造を表す。
【図２０】果樹袋で果実を覆った一実施例を表す。
【図２１】タネ取り袋で花の種皮を覆った一実施例を表す。
【発明を実施するための形態】
【００１７】
花の種子の採取、または果実を病害虫から保護をする際には、
タネ取り袋及び果樹袋を種皮や果実を覆うように袋に据え込んで吊持する。
【００１８】
果実を覆うように吊持して管理用途に合わせた各袋素材を選び使用することで、
病害虫から果実を守り同時に落下する果実を受け止める。
【実施例１】
【００１９】
図１、図２０、図２１は袋状に形成した各素材Cに単独で係止する
ジッパーレールA−１を組み込み、袋の中へ種皮や果実を据え込んで開口部を
適宜な位置で係止してタネ取り袋及び果樹袋を懸装したものである。
Eはジッパー部が組み込まれた開口部材で通気性素材袋CとB部分によって
溶着し果樹袋を形成している。
図２０は前記通気性素材果樹袋に果実を据え込み懸装した状態を表し、
風雨の影響で果実の落下を防止する際には袋上部の吊るし穴Dに
紐や針金を通して枝と共に固定して揺れ落ちを防ぐ一実施例である。
図２１は花の種子の採取をする際にタネ取り袋に種皮を据え込んだ状態を表し、
こぼれ種を受け止める一実施例を示し、それぞれの単独係止部の数は図では
５か所になっているが、必要に応じ数の上限は複数個で自由である。
【００２０】
図５は袋状に形成した各素材Cの内側に直接単独係止構造A−２を組み込み、
袋の中へ果実を据え込んで開口部を係止して果樹袋を懸装したものである。
係止構造はジッパーレールA−２を連続して並べてF部分で袋素材Cと
溶着し、係止構造の分断を境に開口部を単独係止する果樹袋の一実施例を示す。
【００２１】
図９は袋状に形成した各素材Cの上部にプラスチック製のスナップボタンの
係止構造A−３を組み込んだ開口部材B部分を溶着し、袋の中へ果実を
据え込んで開口部を係止して果樹袋を懸装した一実施例。
【００２２】
図１１は袋状に形成した各素材Cにプラスチック製のスナップボタンの
係止構造A−３を組み込み、袋の中へ果実を据え込んで開口部を係止して
果樹袋を懸装したものである。
係止構造にはプラスチック製のスナップボタン雄型と雌型を複数個連続して並べて
袋の中へ果実を据え込んで開口部を係止して果樹袋を懸装した一実施例を示す。
【００２３】
図１６は袋状に形成した各素材Cの上部にマグネットシート製の係止構造
A−４を組み込んだ開口部材B部分を溶着し、袋の中へ果実を据え込んで開口部を
係止して果樹袋を懸装したものである。
係止構造はマグネットシートA―４を連続して並べてマグネットの極性を統一した状態で
ポリエチレン素材Gを被せてF部分で溶着して単独で封止し、互いに吸着し合う
仕組みを利用して係止構造とした一実施例を示す。
【産業上の利用可能性】
【００２４】
本発明による果樹袋の開口部に連続して並ぶ単独係止構造は、
開口部の大きさの調整を可能にし、連続的な係止構造とは違い開口広がりを防ぎ、
その容易な機能は封止を求めない場合の係止に応用利用ができる。
【００２５】
通気性素材、遮光素材、防虫素材、防水素材、防菌素材、防カビ素材を袋状に形成して
開口部には着脱の簡単な単独係止構造を取り付けたとにより、果樹農業の連続的な
傘かけ作業の効率化に役立ち、果実の保護と同時に収穫性を上げることができる。
【００２６】
袋状に形成した各素材の上部に単独係止構造の係止部を複数個直線状に連結し、
開口部の大きさの調整が可能で着脱がしやすく懸装できることを特徴とする
タネ取り袋及び果樹袋は、ガーデニングや園芸に至る花の種子の採取や果樹農業の
育成管理に役立つことができる。
【符号の説明】
【００２７】
Aは袋素材に連続して並ぶ単独係止構造。
（ジッパー付きポリエチレン袋のジッパー部分、プラスチック製のスナップボタン、
マグネットシートなどを係止部とした）
Bは係止構造と繊維素材との接合部を表し、溶着や接着剤で接合。
Cは袋状に形成している通気性素材。
（通気性素材、遮光素材、防虫素材、防水素材、防菌素材、防カビ素材を表す）
Dは吊るし穴。
Eは袋状に形成した開口部の内面に係止構造を接合した状態。
（溶着や接着剤を使用した接合）
Fは連続的に並ぶ係止部にマグネットシートを利用した場合の
マグネット部分を封止する表面を覆う素材。
（袋と同じ厚みのポリエチレン素材）
【図１】
2016111999.tif 000003
【図２】
2016111999.tif 000004
【図３】
2016111999.tif 000005
【図４】
2016111999.tif 000006
【図５】
2016111999.tif 000007
【図６】
2016111999.tif 000008
【図７】
2016111999.tif 000009
【図８】
2016111999.tif 000010
【図９】
2016111999.tif 000011
【図１０】
2016111999.tif 000012
【図１１】
2016111999.tif 000013
【図１２】
2016111999.tif 000014
【図１３】
2016111999.tif 000015
【図１４】
2016111999.tif 000016
【図１５】
2016111999.tif 000017
【図１６】
2016111999.tif 000018
【図１７】
2016111999.tif 000019
【図１８】
2016111999.tif 000020
【図１９】
2016111999.tif 000021
【図２０】
2016111999.tif 000022
【図２１】
2016111999.tif 000023